(57)【要約】      （修正有）【課題】灌漑用ドリップ・エミッターを提供する。【解決手段】第１プール１０および第２プール５０を備え、第１プール１０と第２プール５０との間に入口凹部３０を備える中空ボディを有し、入口凹部３０は１または複数の入口穴３５を有しており、入口穴３５の少なくとも１つの周りを囲む弾性バンド６０を備えており、弾性バンド６０は、それが閉位置にあると入口穴３５と緊密接触した状態となり、一方、弾性バンド６０が開位置にあると入口穴３５を開口させるように拡がるドリップ・エミッター。【選択図】図１
2018174911.tif 000002
【特許請求の範囲】
【請求項１】
灌漑ドリップ・エミッター（１）であって、
第１端（１００）、第２端（５００）、外側面（２００）および内側面（３００）を有する中空ボディ、
第１端（１００）又はその近くにおいて外側面（２００）に形成された第１端壁（１１）、
第２端（５００）又はその近くにおいて外側面（２００）に形成された第２端壁（５１）、
外側面（２００）に形成され、第１端（２１１）および第２端（２１２）を有する第１内壁（２１）、
外側面（２００）に形成され、第１端（４１１）および第２端（４１２）を有する第２内壁（４１）、
外側面（２００）、第１内壁（２１）の第２端（２１２）、第２内壁（４１）の第２端（４１２）によって規定される入口凹部（３０）であって、該入口凹部には１又はそれよりも多い入口穴（３５）が設けられ、内側面（３００）に沿って流れる流体が該入口穴（３５）を通って入口凹部（３０）へと供されるようになっている入口凹部（３０）、
外側面（２００）、第１端壁（１１）、および第１内壁（２１）の第１端（２１１）によって規定される第１プール（１０）、
外側面（２００）、第２端壁（５１）、および第２内壁（４１）の第１端（４１１）によって規定される第２プール（５０）、ならびに
入口凹部（３０）に設けられた入口穴（３５）の少なくとも１つを包囲する弾性バンド（６０）
を有して成り、
第１内壁（２１）は、第１ラビリンス流体流路（２０）が規定されるように、少なくとも１つの垂直壁、少なくとも１つの水平壁、またはそれらの組合せを含み、
第２内壁（４１）は、第２ラビリンス流体流路（４０）が規定されるように、少なくとも１つの垂直壁、少なくとも１つの水平壁、またはそれらの組合せを含み、
弾性バンド（６０）が、閉位置と開位置との間で動くように構成されており、閉位置の場合では弾性バンド（６０）が入口穴（３５）と緊密接触して該入口穴（３５）からの流体流出が防止され、開位置の場合では弾性バンド（６０）が入口穴（３５）から流出する流体で拡がり、それによって、入口凹部（３０）へと流体が流れることを可能とする、灌漑ドリップ・エミッター。
【請求項２】
第１内壁（２１）は、少なくとも１つの水平分岐壁、少なくとも１つの垂直分岐壁、またはそれらの組合せを含む、請求項１に記載の灌漑ドリップ・エミッター。
【請求項３】
第２内壁（４１）は、少なくとも１つの水平分岐壁、少なくとも１つの垂直分岐壁、またはそれらの組合せを含む、請求項１に記載の灌漑ドリップ・エミッター。
【請求項４】
第１内壁（２１）の水平壁および垂直壁によって形成される水平流路および垂直流路の幅は、第１内壁（２１）の第２端（２１２）から該第１内壁（２１）の第１端（２１１）へと向かうにつれて漸次増加または漸次減少している、請求項１に記載の灌漑ドリップ・エミッター。
【請求項５】
第２内壁（４１）の水平壁、垂直壁およびサブ壁によって形成される水平流路および垂直流路の幅は、第２内壁（４１）の第２端（４１２）から該第２内壁（４１）の第１端（４１１）へと向かうにつれて漸次増加または漸次減少している、請求項１に記載の灌漑ドリップ・エミッター。
【請求項６】
第１内壁（２１）の第１端（２１１）は１又はそれよりも多い流体通過部（２４）を有し、第１内壁（２１）の第２端（２１１）は１又はそれよりも多い流体通過部（２３）を有し、第２内壁（４１）の第２端（４１２）は１又はそれよりも多い流体通過部（４３）を有し、第２内壁（４１）の第１端（４１１）は１又はそれよりも多い流体通過部（４４）を有し、それによって、第１プールおよび第２プール（１０，５０）、第１ラビリンス流体流路（２０，４０）ならびに入口凹部（３０）は直接的または間接的に相互に流体連通している、請求項１に記載の灌漑ドリップ・エミッター。
【請求項７】
流体通過部の少なくとも１つは、第１内壁（２１）の第１端（２１１）の真ん中、第１内壁（２１）の第２端（２１２）の真ん中、第２内壁（４１）の第１端（４１１）の真ん中、もしくは第２内壁（４１）の第２端（４１２）の真ん中に形成されている、またはそれらの組合せとなっている、請求項６に記載の灌漑ドリップ・エミッター。
【請求項８】
第１端（１００）又はその近くにおいて外側面（２００）に形成された付加的な第１端壁（１３）、第２端（５００）又はその近くにおいて外側面（２００）に形成された付加的な第２端壁（５３）、またはそれらの双方を更に有して成る、請求項１に記載の灌漑ドリップ・エミッター。
【請求項９】
入口穴（３５）が単一または複数の列（３３）でもって形成されている、請求項１に記載の灌漑ドリップ・エミッター。
【請求項１０】
弾性バンド（６０）が入口穴（３５）の幾つかの周りを囲む、請求項１に記載の灌漑ドリップ・エミッター。
【請求項１１】
第１端、第２端、外側面および内側面を有する中空ボディで形成された灌漑ライン・チューブ（５）であって、
灌漑ライン・チューブの外側面と内側面とを貫通するドリッピング穴（１５，５５）、ならびに
灌漑ライン・チューブの内側において直列に設けられる請求項１に記載の複数の灌漑ドリップ・エミッター
を有して成り、
ドリッピング穴（５５，１５）が、灌漑ドリップ・エミッター（１）の第１プール（１０）の全て若しくは幾つか上方に位置付けられている、もしくは、灌漑ドリップ・エミッターの第２プール（５０）の全て若しくは幾つかの上方に位置付けられている、または、それら双方となっている、灌漑ライン・チューブ。
【請求項１２】
灌漑ドリップ・エミッター（１）の内側面（３００）の断面エリアは、灌漑ライン・チューブの第１端又はその近くに位置付けられる第１の灌漑ドリップ・エミッターから、灌漑ライン・チューブの第２端又はその近くに位置付けられる最後の灌漑ドリップ・エミッターに向かって漸次増加または漸次減少している、請求項１１に記載の灌漑ライン・チューブ。
【発明の詳細な説明】
【技術分野】
【０００１】
本発明は、ドリップ・エミッターおよびそれを有して成るチューブに関する。
【背景技術】
【０００２】
例えば米国特許第9,485,923号公報、米国特許第8,763,934号公報、米国特許第8,096,491号公報、米国特許第7,988,076号公報、米国特許第7,108,205号公報、および、米国特許第6,945,476号公報に記載されているように、灌漑ドリップ・エミッターには多くのタイプがある。現在知られているドリップ・エミッターは幾つかの利点を有するものの、圧力損失を受けたり、および／または、閉塞が発生するなどの種々の問題がある。改良されたドリップ・エミッターに対してニーズは依然存在する。
【発明の概要】
【０００３】
本発明の要旨は、灌漑ドリップ・エミッター（または点滴灌漑エミッター、irrigation drip emitter）を提供する。灌漑ドリップ・エミッターは、第１端、第２端、該第１端と該第２端との間の外側面、該第１端と該第２端との間の内側面を有している。灌漑ドリップ・エミッターは、第１プール、第１ラビリンス流体流路、入口凹部、第２ラビリンス流体流路、および、第２プールを有して成る。第１プール（または第１溜まり部）、第２プール（または第２溜まり部）、第１ラビリンス流体流路（または第１迷路流体流路もしくは迷路のように入り組んだ第１流体流路）、第２ラビリンス流体流路（または第２迷路流体流路もしくは迷路のように入り組んだ第２流体流路）および入口凹部（またはインレット窪み部もしくは入口窪み部）は、外側面において規定されており、互いに直接的または間接的に流体連通している。灌漑ドリップ・エミッターは、入口アクセスを囲む弾性バンド(または伸縮バンド)を更に有して成る。
【０００４】
本発明の別の要旨は、ドリッピング穴（または点滴穴、dripping hole）が設けられた灌漑ライン・チューブ（または灌漑ライン管）を提供する。灌漑ライン・チューブのドリッピング穴が灌漑ドリップ・エミッターの第１プールの全て若しくは幾つか、灌漑ドリップ・エミッターの第２プールの全て若しくは幾つか、または、それらの双方の上方に位置付けられるように、本発明の態様に従った複数の灌漑ドリップ・エミッターは灌漑ライン・チューブの内側で直列に設けられている。
【０００５】
本発明の態様または他の要旨については、以下で詳細に説明する。
【図面の簡単な説明】
【０００６】
【図１】図１は、本発明の態様に従った灌漑ドリップ・エミッターの斜視図である。
【図２】図２は、灌漑ドリップ・エミッターの別の斜視図である。
【図３】図３は、本発明の別の態様に従った灌漑ドリップ・エミッターの一部拡大した斜視図である。
【図４Ａ】図４Ａは、本発明のある態様の灌漑ドリップ・エミッターの第１内壁および第２内壁を示している。
【図４Ｂ】図４Ｂは、本発明の他のある態様の灌漑ドリップ・エミッターの第１内壁および第２内壁を示している。
【図５Ａ】図５Ａは、本発明のある態様の灌漑ドリップ・エミッターの第１内壁ならびに第２内壁の第１端および第２端を示している。
【図５Ｂ】図５Ｂは、本発明の他のある態様の灌漑ドリップ・エミッターの第１内壁ならびに第２内壁の第１端および第２端を示している。
【図５Ｃ】図５Ｃは、本発明の更に他のある態様の灌漑ドリップ・エミッターの第１内壁および第２内壁の第１端および第２端を示している。
【図６】図６は、灌漑ドリップ・エミッターを有して成る灌漑ライン・チューブを示している。
【図７】図７は、灌漑ドリップ・エミッターを有して成る灌漑ライン・チューブおよびその流体流路を示している。
【図８】図８は、本発明のある態様に従った灌漑ライン・チューブに設けられた灌漑ドリップ・エミッターの内側面の断面エリアを示している。
【図９Ａ】図９Ａは、本発明のある態様に従った灌漑ドリップ・エミッターの入口凹部の平面図である（灌漑ドリップ・エミッターの弾性バンドが閉位置にある場合）。
【図９Ｂ】図９Ｂは、図９Ａの灌漑ドリップ・エミッターの入口凹部の平面図である（灌漑ドリップ・エミッターの弾性バンドが開位置にある場合）。
【図１０】図１０は、本発明の他のある態様に従った灌漑ドリップ・エミッターの入口凹部の平面図である（灌漑ドリップ・エミッターの弾性バンドが閉位置にある場合）。
【発明を実施するための形態】
【０００７】
以下にて、図面を参照しながら本発明の態様を詳細に説明する。しかしながら、説明する態様は、あくまでも例示的なものであり、本発明の範囲を制限するものでないことを理解されたい。
【０００８】
本発明のある要旨としては、上述の従来技術の問題（例えば、圧力損失を受ける問題および／または閉塞が生じる問題など）を引き起こさない灌漑ドリップ・エミッターが供される。図１および図２に示すように、本発明の態様に従った灌漑ドリップ・エミッター（１）は、中空ボディ（または、中空体、hollow body）から形成される。図１および図２の中空ボディの断面が円形状に描かれているものの、中空ボディの断面の形状はそれに限定されない。中空ボディの断面は、本発明の目的を達成できるものであれば、いずれの形状であってもよい。そのような中空ボディの断面形状を非制限的に例示すると、多角形状（例えば、三角形、矩形、五角形、六角形）、ならびに、丸みを帯びた形状（例えば、円形）などを挙げることができる。また、かかる断面のサイズもまた設計ニーズに応じて適当に選択することができる。
【０００９】
中空ボディは、第１端（１００／first end）、第２端（５００／second end）、かかる第１端（１００）と第２端（５００）との間の外側面（２００／outer surface）、ならびに、第１端（１００）と第２端（５００）との間の内側面（３００／inner surface）を有している。灌漑ドリップ・エミッター（１）は、第１プール（１０／first pool）、第１ラビリンス流体流路（２０／first labyrinth fluid flow path）、入口凹部（３０,／inlet recess）、第２ラビリンス流体流路（４０／second labyrinth fluid flow path）、および、第２プール（５０／second pool）を有して成る。第１プールおよび第２プール（１０，５０）、第１ラビリンス流体流路および第２ラビリンス流体流路（２０，４０）、ならびに入口凹部（３０）は、中空ボディの外側面（２００）に規定されている。第１プールおよび第２プール（１０，５０）、第１ラビリンス流体流路および第２ラビリンス流体流路（２０，４０）、ならびに入口凹部（３０）は、互いに直接的に又は間接的に流体連通状態（fluid communication）となっている。
【００１０】
第１端壁（１１／first end wall）は、第１端（１００）又はその近くにおいて外側面（２００）に形成されている。第１内壁（２１／第１インナーウォール，first inner wall）は、入口凹部（３０）と第１端壁（１１）との間にて外側面（２００）に形成されている。第１ラビリンス流体流路（２０）は、第１内壁（２１）によって規定されている。第１内壁の形状、数およびサイズ（例えば、幅および高さ）は、設計ニーズまたはその他に応じて適当に選択することができる。例えば、第１内壁の断面は、多角形状、丸みを帯びた形状、または、それらがミックスされたような形状を有していてよい。例えば、第１内壁は、２つ（又はそれよりも多い数）として設けられていてよく、そのような第１内壁が互いに直接的に又は間接的に流体連通状態となっていてよい。第２端壁（５１／second end wall）は、第２端（５００）又はその近くにおいて外側面（２００）に形成されている。第２内壁（４１／第２インナーウォール，second inner wall）は、入口凹部（３０）と第２端壁（５１）との間にて外側面（２００）に形成されている。第２ラビリンス流体流路（４０）は、第２内壁（４１）によって規定されている。第２内壁の形状、数およびサイズ（例えば、幅および高さ）は、設計ニーズまたはその他に応じて適当に選択することができる。例えば、第２内壁の断面は、多角形状、丸みを帯びた形状、または、それらがミックスされたような形状を有していてよい。例えば、第２内壁は、２つ（又はそれよりも多い数）として設けられていてよく、そのような第２内壁が互いに直接的に又は間接的に流体連通状態になっていてよい。
【００１１】
第１プール（１０）は、外側面（２００）、第１端壁（１１）、第１内壁（２１）の第１端（２１１）によって規定されている。第２プール（５０）は、外側面（２００）、第２端壁（５１）、第２内壁（４１）の第１端（４１１）によって規定されている。入口凹部（３０）は、外側面、第１内壁（２１）の第２端（２１２）、第２内壁（４１）の第２端（４１２）によって規定されている。入口凹部（３０）には、１またはそれよりも多い入口穴（３５）が設けられている。流体（例えば、水）は、灌漑ドリップ・エミッター（１）の中空ボディの内側にて流れることができる。中空ボディの内側を流れる流体は、１つ又は複数の入口穴（３５）を通って入口凹部（３０）へと供給され得る。第１プール（１０）は、第１ラビリンス流体流路（２０）を介して入口凹部（３０）と流体連通状態となっている。第２プール（５０）は、第２ラビリンス流体流路（４０）を介して入口凹部（３０）と流体連通状態となっている。
【００１２】
灌漑ドリップ・エミッター（１）は、弾性バンド（６０）を更に有して成る。弾性バンド（６０／elastic band）が入口穴（３５）の少なくとも１つの周りを囲むこと（surround）になるように、弾性バンド（６０）は入口凹部（３０）に設けられている。弾性バンド（６０）は、閉位置(または閉状態)と開位置(または開状態)との間で動くように(または移動するように)構成されており、閉位置の場合では弾性バンド（６０）が入口穴（３５）と緊密接触して入口穴（３５）からの流体流出が防止されることになり、開位置の場合では弾性バンド（６０）が入口穴（３５）から流出する流体によって拡がり（又は拡大し若しくは広がって／expanded）、それによって、入口凹部（３０）へと流体が流れることを可能とし、ひいては、流体が第１ラビリンス流体流路および第２ラビリンス流体流路（２０，４０）へと流れることができる。弾性バンド（６０）の弾性は、設計ニーズに応じて適当に選択することができる。
【００１３】
ある態様において、図３、図４Ａおよび図４Ｂで示されるように、第１内壁（２１）は、１またはそれよりも多い水平壁（horizontal wall）、１またはそれよりも多い垂直壁（vertical wall）、または、それらの双方を含んで成るものであってよい。好適には、水平壁の少なくとも１つは、１またはそれによりも多い水平サブ壁(horizontal sub-wall)または水平分岐壁もしくは支流壁（branch wall)、１またはそれによりも多い垂直サブ壁、または、それらの双方を更に有していてよい。同様にして、第２内壁（４１）は、１またはそれよりも多い水平壁、１またはそれよりも多い垂直壁、または、それらの双方を含んで成るものであってよい。好適には、水平壁の少なくとも１つは、１またはそれによりも多い水平サブ壁、１またはそれによりも多い垂直サブ壁、または、それらの双方を更に有していてよい。
【００１４】
ある態様では、第１内壁（２１）の水平および垂直な壁ならびにサブ壁によって形成される水平流路および垂直流路の幅は、第１内壁（２１）の第２端（２１２）から第１内壁（２１）の第１端（２１１）に向かうにつれ漸次増加または漸次減少するように設計されていてよい。また、第２内壁（４１）の水平および垂直な壁ならびにサブ壁によって形成される水平流路および垂直流路の幅も、第２内壁（４１）の第２端（４１２）から第２内壁（４１）の第１端（４１１）に向かうにつれ漸次増加または漸次減少するように設計されていてもよい。
【００１５】
ある態様では、灌漑ドリップ・エミッター（１）は、中空ボディの第１端（１００）又はその近くにおいて中空ボディの外側面（２００）に付加的な第１端壁（１３）を更に有して成るものであってよい。同様にして、灌漑ドリップ・エミッター（１）は、中空ボディの第２端（５００）又はその近くにおいて中空ボディの外側面（２００）に付加的な第２端壁（５３）を更に有して成るものであってよい。
【００１６】
図１および図２では中空ボディの外側面（２００）および内側面（３００）の双方が丸みを帯びた形状の断面を有するように示されているものの、外側面（２００）および内側面（３００）の断面は、丸みを帯びた形状に限定されない。外側面（２００）および内側面（３００）の断面形状は、非制限的に例示すると、多角形状（例えば、三角形、矩形、五角形、六角形）、ならびに、丸みを帯びた形状（例えば、円形）などを挙げることができる。また、外側面（２００）の断面と、内側面（３００）の断面とは異なる形状を有していてもよい。
【００１７】
図２および図３に示すように、第１内壁（２１）の第１端（２１１）は、１又はそれよりも多い流体通過部（２４／fluid passage）を有している。第１プール（１０）は、１又は複数の流体通過部（２４）を介して第１ラビリンス流体流路（２０）と流体連通している。第１内壁（２１）の第２端（２１２）は、１又はそれよりも多い流体通過部（２３）を有している。第１ラビリンス流体流路（２０）は、１又は複数の流体通過部（２３／fluid passage）を介して入口凹部（３０）と流体連通している。第２内壁（４１）の第２端（４１２）は、１又はそれよりも多い流体通過部（４３）を有している。入口凹部（３０）は、１又は複数の流体通過部（４３／fluid passage）を介して第２ラビリンス流体流路（４０）と流体連通している。第２内壁（４１）の第１端（４１１）は、１又はそれよりも多い流体通過部（４４／fluid passage）を有している。第２ラビリンス流体流路（４０）は、１又は複数の流体通過部（４４）を介して第２プール（５０）と流体連通している。
【００１８】
上述の流体連通を助力するものであるのであれば、流体通過部（２３，２４，４３，４４）は、その形状、数およびサイズを適当に選択することができる。流体通過部は、丸みを帯びた形状または多角形状で形成されていてもよい。非制限的に例示すると、流体通過部は、図３、図５Ａおよび図５Ｂに示されるように、弧形状（arc shape）または矩形状となっていてよい。別の非制限的な例示としては、流体通過部は、図５Ｃに示されるように、丸みを帯びた形状となっていてもよい。また、流体通過部は、第１／第２内壁の第１／第２端の適当な位置に形成されていてもよい。非制限的な例示であるが、図５Ｃに示されるように、第１／第２内壁の第１／第２端の真ん中（midst）に流体通過部が形成されていてもよい。
【００１９】
本発明の別の要旨としては、本発明の灌漑ドリップ・エミッター（１）を複数有して成る灌漑ライン・チューブが提供される。本発明のある態様に従った灌漑ライン・チューブ（５）は、外側面、内側面、外側面と内側面とを貫通するドリッピング穴（１５，５５）を有している。１又はそれよりも多いドリッピング穴（５５）が灌漑ドリップ・エミッター（１）の第１プール（１０）の全て若しくは幾つかの上方に位置付けられるように、または、１又はそれよりも多いドリッピング穴（１５）が灌漑ドリップ・エミッター（１）の第２プール（５０）の全て若しくは幾つかの上方に位置付けられるように、または、その双方となるように、本発明の態様の複数の灌漑ドリップ・エミッターが灌漑ライン・チューブ（５）の内側に直列に設けられている（図６参照）。
【００２０】
ある態様では、灌漑ドリップ・エミッター（１）の内側面（３００）の断面エリアが、第１の灌漑ドリップ・エミッター（灌漑ライン・チューブ(５)の第１端又はその近くに位置付けられる灌漑ドリップ・エミッター（例えば、図８の第１番目のドリップ・エミッター））から、最後の灌漑ドリップ・エミッター（灌漑ライン・チューブ（５）の第２端又はその近くに位置付けられる灌漑ドリップ・エミッター（例えば、図８の第Ｎ番目のドリップ・エミッター））に向かって漸次増加するようになっていてよい。また、他のある態様では、図示されていないものの、灌漑ドリップ・エミッター（１）の内側面（３００）の断面エリアが、灌漑ライン・チューブ（５）に設けられた第１の灌漑ドリップ・エミッターから最後の灌漑ドリップ・エミッターに向かって漸次減少するように設計されていてもよい。
【００２１】
上述したように、弾性バンド（６０）は、本発明の態様の灌漑ドリップ・エミッター（１）とともに設けられている。弾性バンド（６０）は、入口凹部（３０）の一部又は全ての周りを囲むことができる。入口凹部（３０）は、図９Ａ、図９Ｂおよび図１０に示すように、単一の列（３３）で配置される入口穴（３５）を有していてよい。ある態様では、入口凹部（３０）は、２つの列またはそれよりも多い列で配置される入口穴を有するようものであってもよい。他のある態様では、入口凹部（３０）は、不規則パターンで配置される入口穴を有するものであってよい。
【００２２】
図９Ａに示されるある態様では、弾性バンド（６０）は、入口凹部（３０）の全てをカバーしている。かかる場合、弾性バンド（６０）は、入口穴（３５）の全てを包囲している。図１０に示される他の態様では、弾性バンド（６０）は、入口凹部（３０）の一部をカバーしている。かかる場合、入口凹部（３０）における入口穴（３５）の設置パターンに応じ、弾性バンド（６０）は入口穴（３５）の一部または全てを包囲している。
【００２３】
上述したように、弾性バンド（６０）は、閉位置（図９Ａ）と開位置（図９Ｂ）との間で動くようになっている。流体圧力が弾性バンド（６０）の拡がりにとって十分でない場合、弾性バンド（６０）が入口穴（３５）と緊密接触し、それによって入口穴（３５）からの流体流出が防止される。一方、弾性バンド（６０）および灌漑ライン・チューブ（５）によって規定されるスペース（３８）に向かって流体圧力が弾性バンド（６０）を拡がらせるのに十分である場合、弾性バンド（６０）は拡大し、それによって、流体が入口凹部（３０）へと流れることができ、次いで、流体は第１ラビリンス流体流路および第２ラビリンス流体流路（２０，４０）へと流れ、次いで、第１プールおよび第２プール（１０，５０）へと流れ、次いで、ドリッピング穴（１５，５５）を通るように流れることができる（図７参照）。
【００２４】
本発明を上記態様により例示してきたものの、かかる態様は例示および説明のためにすぎず、本発明をかかる態様に限定する意図でないことを理解されたい。また、当業者は、本発明は、上記態様に限定されないことを理解し、本発明の教示事項に従って、特許請求の範囲で規定された本発明の範囲内において種々のバリエーション・変更が可能なことを理解されよう。
【図１】
2018174911.tif 000003
【図２】
2018174911.tif 000004
【図３】
2018174911.tif 000005
【図４Ａ】
2018174911.tif 000006
【図４Ｂ】
2018174911.tif 000007
【図５Ａ】
2018174911.tif 000008
【図５Ｂ】
2018174911.tif 000009
【図５Ｃ】
2018174911.tif 000010
【図６】
2018174911.tif 000011
【図７】
2018174911.tif 000012
【図８】
2018174911.tif 000013
【図９Ａ】
2018174911.tif 000014
【図９Ｂ】
2018174911.tif 000015
【図１０】
2018174911.tif 000016
【外国語明細書】
2018174911.tif 000017
2018174911.tif 000018
2018174911.tif 000019
2018174911.tif 000020
2018174911.tif 000021
2018174911.tif 000022
2018174911.tif 000023
2018174911.tif 000024
2018174911.tif 000025
2018174911.tif 000026
2018174911.tif 000027
2018174911.tif 000028
2018174911.tif 000029
2018174911.tif 000030
2018174911.tif 000031
2018174911.tif 000032
2018174911.tif 000033
2018174911.tif 000034
2018174911.tif 000035
2018174911.tif 000036
2018174911.tif 000037
2018174911.tif 000038
2018174911.tif 000039
2018174911.tif 000040
2018174911.tif 000041
2018174911.tif 000042